(57)【要約】【課題】複数の表示画面を隣接配置して表示サイズを大きくした際のタッチ操作の操作性を向上させる。【解決手段】タッチパネルを搭載した２つの表示画面を隣接配置してなる表示装置であって、前記２つの表示画面を１画面として画像データを表示させる画像表示制御手段と、前記２つの表示画面各々のタッチパネルにおいてタッチされた点の位置を検出するタッチ位置検出手段と、前記タッチパネルにおいてタッチされた位置が移動し２つのタッチパネルの境界に入ることで前記タッチ位置検出手段によるタッチが検出されなくなった場合に、所定の時間以内に他方のタッチパネルでタッチが検出されることにより、連続したタッチの移動であると判断する判断手段と、を備えたことを特徴とする。【選択図】      図８
2012216223.tif 000002
【特許請求の範囲】
【請求項１】
タッチパネルを搭載した２つの表示画面を隣接配置してなる表示装置であって、
前記２つの表示画面を１画面として画像データを表示させる画像表示制御手段と、
前記２つの表示画面各々のタッチパネルにおいてタッチされた点の位置を検出するタッチ位置検出手段と、
前記タッチパネルにおいてタッチされた位置が移動し２つのタッチパネルの境界に入ることで前記タッチ位置検出手段によるタッチが検出されなくなった場合に、所定の時間以内に他方のタッチパネルでタッチが検出されることにより、連続したタッチの移動であると判断する判断手段と、
を備えたことを特徴とする表示装置。
【請求項２】
判断手段の判断結果に応じて表示される画像の拡大縮小を制御する画像処理手段と、
を備えたことを特徴とする請求項１記載の表示装置。
【請求項３】
タッチパネルを搭載した２つの表示画面を隣接配置してなる表示装置のコンピュータを、
前記２つの表示画面を１画面として画像データを表示させる画像表示制御手段と、
前記２つの表示画面各々のタッチパネルにおいてタッチされた点の位置を検出するタッチ位置検出手段と、
前記タッチパネルにおいてタッチされた位置が移動し２つのタッチパネルの境界に入ることで前記タッチ位置検出手段によるタッチが検出されなくなった場合に、所定の時間以内に他方のタッチパネルでタッチが検出されることにより、連続したタッチの移動であると判断する判断手段、
として機能させるためのプログラム。
【発明の詳細な説明】
【技術分野】
【０００１】
本発明は、複数の表示画面を隣接配置して全体としての表示サイズを大きくした表示装置に関する。
【背景技術】
【０００２】
一般に、ノート型のパーソナルコンピュータや携帯情報端末などの小型の情報端末機器では、筐体サイズを小さく抑えつつも可能な限りの表示サイズを得たい。このため、従来の小型情報端末機器において、１ピースの筐体である場合には、そのキー入力部などの操作部分を筐体正面の上端や下端あるいは筐体側面などの狭い範囲に納め、筐体正面の略全域を被うほどの表示画面としたり、折り畳み式の２ピースの筐体である場合には、該筐体を開いた一方の筐体正面をキーボード、このキーボードに対向する他方の筐体正面の全域を表示画面としたりしている。
【０００３】
しかしながら、このような状況にあってもメモリデバイスの更なる小型・高容量化やＣＰＵの小型・高性能化によって、小型のままで処理可能な情報量は飛躍的に増大し、筐体サイズを抑えたままで更に大きな表示画面サイズを得たい要求がある。
【０００４】
そこで、折り畳み式筐体の一方と他方の両方に表示画面を展開するように搭載した携帯ゲーム装置（例えば、特許文献１参照。）や、複数の液晶表示パネルを折り畳み式にして搭載したノート型のパーソナルコンピュータ（例えば、特許文献２参照。）などが考えられている。
【０００５】
特許文献１に開示された携帯ゲーム装置では、展開した手前側一方の筐体に配した表示画面をタッチパネル式とし、この表示画面上でタッチ指定した領域の画像を展開した他方の筐体に配した表示画面に拡大表示させることができる。
【０００６】
特許文献２に開示されたノート型のパーソナルコンピュータでは、その折り畳み式にした複数の液晶表示パネルを一面状に展開して大きな表示サイズを得ることができ、また、折り畳んだままの手前側の表示パネルと裏側の表示パネルとに例えば同じ画像を表示させ、対話形式での操作表示を行うことができる。
【先行技術文献】
【特許文献】
【０００７】
【特許文献１】特開２００５−１６８７６４号公報
【特許文献２】特開２００１−０４２３５０号公報
【発明の概要】
【発明が解決しようとする課題】
【０００８】
前記従来の表示装置のように、折り畳み式などによって複数の表示画面を隣接展開し大きな表示サイズが得られるようにした場合、これに伴い各表示画面のそれぞれにタッチパネルを設けることが考えられる。
【０００９】
この場合、各表示画面について各々独立したタッチ操作位置の検出を容易にしかも同時に行うことができる利点があるが、この利点を効果的に利用して複数画面により表示サイズを大きくした際の表示操作性の向上が望まれる。
【００１０】
本発明は、このような課題に鑑みなされたもので、複数の表示画面を隣接配置して表示サイズを大きくした際に、各々の表示画面に設けたタッチパネルを利用して表示画像の拡大・縮小の操作を簡単に行うことが可能になる表示装置を提供することを目的とする。
【課題を解決するための手段】
【００１１】
請求項１に記載の表示装置は、タッチパネルを搭載した２つの表示画面を隣接配置してなる表示装置であって、前記２つの表示画面を１画面として画像データを表示させる画像表示制御手段と、前記２つの表示画面各々のタッチパネルにおいてタッチされた点の位置を検出するタッチ位置検出手段と、前記タッチパネルにおいてタッチされた位置が移動し２つのタッチパネルの境界に入ることで前記タッチ位置検出手段によるタッチが検出されなくなった場合に、所定の時間以内に他方のタッチパネルでタッチが検出されることにより、連続したタッチの移動であると判断する判断手段と、を備えたことを特徴とする。
【発明の効果】
【００１２】
本発明によれば、複数の表示画面を隣接配置して表示サイズを大きくした際に、各々の表示画面に設けたタッチパネルを跨ぐようにタッチ位置を移動し、タッチ位置の検出が途切れた場合でも、一連の操作として扱うことが可能になる。よってタッチ移動により表示画像の拡大・縮小の操作を簡単に行うことが可能になる表示装置を提供できる。
【図面の簡単な説明】
【００１３】
【図１】本発明の実施形態に係る表示装置を搭載した折り畳み型携帯情報端末１０の展開状態における外観構成を示す正面図。
【図２】前記折り畳み型携帯情報端末１０の電子回路の構成を示すブロック図。
【図３】前記折り畳み型携帯情報端末１０の主記憶装置２２内に確保される表示制御のためのデータメモリを示す図。
【図４】前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第１実施形態の拡大／縮小表示機能を示す概念図であり、同図（Ａ）は各表示画面（１１Ａ，１１Ｂ）上での最初のユーザタッチ位置座標（Ｘ0A,Ｙ0A）（Ｘ0B,Ｙ0B）と表示内容データ（２５）上での各対応する座標（ＸAd,ＹAd)(ＸBd,ＹBd）との関係を示す図、同図（Ｂ）は各表示画面（１１Ａ，１１Ｂ）上での移動後のユーザタッチ位置座標（Ｘ1A,Ｙ1A）（Ｘ1B,Ｙ1B）とこれに応じて拡大された表示内容データ（２５）上での各対応する座標（ＸAd,ＹAd)(ＸBd,ＹBd）との関係を示す図。
【図５】前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第１実施形態の拡大／縮小表示処理を示すフローチャート。
【図６】前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第２実施形態の拡大／縮小表示機能でのユーザ操作形態を示す図。
【図７】前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第２実施形態の拡大／縮小表示処理を示すフローチャート。
【図８】前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第３実施形態の拡大／縮小表示機能でのユーザ操作形態を示す図。
【図９】前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第３実施形態の拡大／縮小表示処理を示すフローチャート。
【図１０】前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第４実施形態の拡大／縮小表示機能でのユーザ操作形態を示す図。
【図１１】前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第４実施形態の拡大／縮小表示処理を示すフローチャート。
【図１２】前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第５実施形態の拡大／縮小表示処理を示すフローチャート。
【図１３】前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第６実施形態の拡大／縮小表示処理を示すフローチャート。
【図１４】前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第７実施形態の拡大／縮小表示機能でのユーザ操作形態を示す図。
【図１５】前記折り畳み型携帯情報端末１０の縦長にした展開状態における外観構成を示す正面図。
【発明を実施するための形態】
【００１４】
以下図面により本発明の実施の形態について説明する。
【００１５】
図１は、本発明の実施形態に係る表示装置を搭載した折り畳み型携帯情報端末１０の展開状態における外観構成を示す正面図である。
【００１６】
この折り畳み型携帯情報端末１０は、例えば通常使用の際にはその上下方向に展開されて一面状に配置される上筐体パネル１０Ａと下筐体パネル１０Ｂとを有し、上筐体パネル１０Ａおよび下筐体パネル１０Ｂの何れにも、それぞれそのパネル面全域に応じた画面サイズの液晶表示装置（Ａ）１１Ａおよび液晶表示装置（Ｂ）１１Ｂが備えられる。
【００１７】
そして、各表示装置（Ａ）１１Ａ，（Ｂ）１１Ｂの何れの表示画面上にもタッチパネル（Ａ）１２Ａ，（Ｂ）１２Ｂが重ねて設けられる。
【００１８】
上筐体パネル１０Ａと下筐体パネル１０Ｂの展開により一面状に配置される２つの表示装置（Ａ）１１Ａ，表示装置（Ｂ）１１Ｂは、表示サイズの大きい１つの表示画面として１つの表示画像データを分割表示可能であるのは勿論、そのまま２つの表示画面としてそれぞれ別の表示画像データを独立した表示制御によって表示することも可能である。
【００１９】
前者、１つの表示画面として１つの表示画像データを分割表示する場合には、上になる表示装置（Ａ）１１Ａの表示画面左上の座標を上下２つの表示画面全域の原点座標として表示制御し、後者、２つの表示画面として別の表示画像データを独立表示する場合には、その各々の表示画面左上の座標を該各表示画面の原点座標として表示制御する。
【００２０】
この携帯情報端末１０の各表示装置（Ａ）１１Ａ，（Ｂ）１１Ｂのそれぞれにおけるタッチ位置の座標情報Ａ（Ｘ0A,Ｙ0A)，Ｂ（Ｘ0B,Ｙ0B）は、各タッチパネル（Ａ）１２Ａ，（Ｂ）１２Ｂでのタッチ位置検出によって同時に取得可能である。
【００２１】
図２は、前記折り畳み型携帯情報端末１０の電子回路の構成を示すブロック図である。
【００２２】
この携帯情報端末１０の電子回路には、コンピュータであるＣＰＵ(Central Processing Unit)２１が備えられる。
【００２３】
ＣＰＵ２１は、主記憶装置２２内に予め記憶された端末制御プログラムやその表示制御プログラム、あるいは外部記憶装置２３にセットされたカード型メモリや光ディスク、磁気ディスクなどの外部メモリ（外部記録媒体）から前記主記憶装置２２内に読み込まれた各種の制御プログラムに従って回路各部の動作を制御するもので、主記憶装置２２の具体的なデバイスとしては、フラッシュメモリ、ＤＲＡＭ(Dynamic Random Access Memory)、ＳＲＡＭ(Static Random Access Memory)などが使用され、前記プログラムデータ格納用の他に、各種の動作制御に応じてＣＰＵ２１に入出力される種々のデータの一時記憶用などとして利用される。
【００２４】
前記主記憶装置２２に記憶された各種のプログラムは、キーボード、マウスなどの入力装置２４からのキー入力信号やマウスクリック信号、あるいは２つのタッチパネル（Ａ）１２Ａ，（Ｂ）１２Ｂからの各タッチ位置検出信号などに応じて起動され、各種の情報処理や表示処理を司る。
【００２５】
ＣＰＵ２１には、前記２つの表示装置（Ａ）１１Ａ，（Ｂ）１１Ｂ、そのタッチパネル（Ａ）１２Ａ，（Ｂ）１２Ｂ、主記憶装置２２、外部記憶装置２３、入力装置２４が接続される他に、表示用メモリ２５が接続され、この表示用メモリ２５には、各表示装置（Ａ）１１Ａ，（Ｂ）１１Ｂにて表示させるための表示内容の画像データが記憶される。
【００２６】
図３は、前記折り畳み型携帯情報端末１０の主記憶装置２２内に確保される表示制御のためのデータメモリを示す図である。
【００２７】
この表示制御のためのデータメモリには、２つのタッチパネル（Ａ）１２Ａ，（Ｂ）１２Ｂに対するユーザタッチ操作に伴い所定時間間隔で演算検出（算出）されるパネルＡ前回座標（Ｘ0A,Ｙ0A）２２ａ、パネルＡ今回座標（Ｘ1A,Ｙ1A）２２ｂ、パネルＢ前回座標（Ｘ0B,Ｙ0B）２２ｃ、パネルＢ今回座標（Ｘ1B,Ｙ1B）２２ｄが記憶されると共に、この各タッチパネル（Ａ）１２Ａ，（Ｂ）１２Ｂに対するユーザタッチ位置に対応したところの表示画像データ内での座標（ＸAd,ＹAd）（ＸBd,ＹBd）２２ｅが記憶される。
【００２８】
また、同データメモリには、表示装置（Ａ）１１Ａ，（Ｂ）１１Ｂでの表示制御に伴う拡大／縮小の設定倍率を示す設定倍率フラグ（“０”＝小／“１”＝大）２２ｆ、予め設定された設定倍率値（小／大）２２ｇ、前記２つのタッチパネル（Ａ）１２Ａ，（Ｂ）１２Ｂに対する前回と今回のタッチ位置座標であるパネルＡ前回座標（Ｘ0A,Ｙ0A）２２ａとパネルＡ今回座標（Ｘ1A,Ｙ1A）２２ｂとパネルＢ前回座標（Ｘ0B,Ｙ0B）２２ｃとパネルＢ今回座標（Ｘ1B,Ｙ1B）２２ｄとに基づき算出されるＸ軸方向での前回差分（Ｘ0A−Ｘ0B）と今回差分（Ｘ1A−Ｘ1B）２２ｈ、およびＹ軸方向での前回差分（Ｙ0A−Ｙ0B）と今回差分（Ｙ1A−Ｙ1B）２２ｉが記憶される。
【００２９】
さらに、同データメモリには、一定時間のタイムカウントデータ２２ｊ、表示装置（Ａ）１１Ａ，（Ｂ）１１Ｂでの表示制御に伴う拡大／縮小の設定倍率が可変設定である場合の可変設定倍率値（ａ）２２ｋ、前記２つのタッチパネル（Ａ）１２Ａ，（Ｂ）１２Ｂの何れか初めにタッチされた時点から前記一定時間のタイムカウントデータ２２ｊ内でカウントされた同一タッチパネル（Ａ）１２Ａまたは（Ｂ）１２Ｂ上での繰り返しタッチ（初期タッチ）カウント数２２ｍ、前記２つのタッチパネル（Ａ）１２Ａ，（Ｂ）１２Ｂの何れか後にタッチされたタッチパネル（Ａ）１２Ａまたは（Ｂ）１２Ｂ上でのタッチ（後タッチ）圧力値２２ｎなどが記憶される。
【００３０】
次に、前記構成の表示装置を搭載した折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した表示画像の拡大／縮小表示機能について説明する。
【００３１】
（第１実施形態）
図４は、前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第１実施形態の拡大／縮小表示機能を示す概念図であり、同図（Ａ）は各表示画面（１１Ａ，１１Ｂ）上での最初のユーザタッチ位置座標（Ｘ0A,Ｙ0A）（Ｘ0B,Ｙ0B）と表示内容データ（２５）上での各対応する座標（ＸAd,ＹAd)(ＸBd,ＹBd）との関係を示す図、同図（Ｂ）は各表示画面（１１Ａ，１１Ｂ）上での移動後のユーザタッチ位置座標（Ｘ1A,Ｙ1A）（Ｘ1B,Ｙ1B）とこれに応じて拡大された表示内容データ（２５）上での各対応する座標（ＸAd,ＹAd)(ＸBd,ＹBd）との関係を示す図である。
【００３２】
すなわち、この第１実施形態の拡大／縮小表示機能では、図４（Ａ）に示すように、１画面として使用される２つの表示装置（Ａ）１１Ａ，（Ｂ）１１Ｂによって例えば家Ｈが描画された表示画像（２５）の一部領域が表示されている状態で、これを拡大表示させるために、例えばユーザの両手の指先により表示画面（１１Ａ）上での任意の点（Ｘ0A,Ｙ0A）と表示画面（１１Ｂ）上での任意の点（Ｘ0B,Ｙ0B）とを指定した後に、図４（Ｂ）に示すように、当該各指定点（Ｘ0A,Ｙ0A）（Ｘ0B,Ｙ0B）を前記表示画像（２５）を広げる方向の任意の点（Ｘ1A,Ｙ1A）（Ｘ1B,Ｙ1B）まで移動させる。
【００３３】
すると、前記各表示画面（１１Ａ，１１Ｂ）上での最初の指定点（Ｘ0A,Ｙ0A）（Ｘ0B,Ｙ0B）間のｘ軸およびｙ軸方向の差分（Ｘ0B−Ｘ0A）（Ｙ0B−Ｙ0A）と移動後の指定点（Ｘ1A,Ｙ1A）（Ｘ1B,Ｙ1B）間のｘ軸およびｙ軸方向の差分（Ｘ1B−Ｘ1A）（Ｙ1B−Ｙ1A）との比率［ｘ軸方向（Ｘ1B−Ｘ1A）／（Ｘ0B−Ｘ0A）倍］［ｙ軸方向（Ｙ1B−Ｙ1A）／（Ｙ0B−Ｙ0A）倍］に応じて表示画像（２５）が拡大処理され、各指定点の移動［（Ｘ0A,Ｙ0A）（Ｘ0B,Ｙ0B）→（Ｘ1A,Ｙ1A）（Ｘ1B,Ｙ1B）］に伴い表示画像（２５）上での各対応する座標（ＸAd,ＹAd)(ＸBd,ＹBd）も移動するように拡大表示される。
【００３４】
図５は、前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第１実施形態の拡大／縮小表示処理を示すフローチャートである。
【００３５】
この表示処理が起動されると、２つのタッチパネル（Ａ）１２Ａ，（Ｂ）１２Ｂにおいて共にタッチ操作が検知されたかの判断待機状態になる（ステップＳ１）。
【００３６】
前記図４（Ａ）で示したように、１画面として使用される２つの表示装置（Ａ）１１Ａ，（Ｂ）１１Ｂによって例えば家Ｈが描画された表示画像（２５）の一部領域が表示されている状態で、これを拡大表示させるために、先ず、ユーザの両手の指先により上表示画面（１１Ａ）上の任意の点と下表示画面（１１Ｂ）上で任意の点がタッチ指定されると（ステップＳ１（Ｙ））、当該各表示画面（１１Ａ，１１Ｂ）上で指定された２点の座標（Ｘ0A,Ｙ0A）（Ｘ0B,Ｙ0B）が各タッチパネル（Ａ）１２Ａ，（Ｂ）１２Ｂからのタッチ位置検知信号に基づき算出されると共に（ステップＳ２）、この２つのタッチ指定点の座標（Ｘ0A,Ｙ0A）（Ｘ0B,Ｙ0B）にそれぞれ対応したところの表示画像データ（２５）内での座標（ＸAd,ＹAd)(ＸBd,ＹBd）が算出される（ステップＳ３）。
【００３７】
ここで、前記２つの表示画面（１１Ａ，１１Ｂ）上の最初の各指定点（Ｘ0A,Ｙ0A）（Ｘ0B,Ｙ0B）にある指先を、図４（Ｂ）で示したように、表示画像データ（２５）を広げる方向に任意の点まで移動させた際に、当該タッチ指定点の移動が検知されると（ステップＳ４）、その移動先の指定点座標（Ｘ1A,Ｙ1A）（Ｘ1B,Ｙ1B）が算出される（ステップＳ５）。
【００３８】
すると、２つの表示画面（１１Ａ，１１Ｂ）上での最初の指定点座標（Ｘ0A,Ｙ0A）（Ｘ0B,Ｙ0B）間のｘ軸およびｙ軸方向の差分（Ｘ0B−Ｘ0A）（Ｙ0B−Ｙ0A）と移動後の指定点座標（Ｘ1A,Ｙ1A）（Ｘ1B,Ｙ1B）間のｘ軸およびｙ軸方向の差分（Ｘ1B−Ｘ1A）（Ｙ1B−Ｙ1A）との比率［ｘ軸方向（Ｘ1B−Ｘ1A）／（Ｘ0B−Ｘ0A）倍］［ｙ軸方向（Ｙ1B−Ｙ1A）／（Ｙ0B−Ｙ0A）倍］に応じて表示画像データ（２５）が拡大処理され、２つの指定点の画像を広げる方向への移動［（Ｘ0A,Ｙ0A）（Ｘ0B,Ｙ0B）→（Ｘ1A,Ｙ1A）（Ｘ1B,Ｙ1B）］に伴い表示画像データ（２５）上での各対応する座標（ＸAd,ＹAd)(ＸBd,ＹBd）も移動するように拡大表示される（ステップＳ６）。
【００３９】
一方これとは逆に、例えば図４（Ｂ）で示したような２つの表示画面（１１Ａ，１１Ｂ）上での各指定点（Ｘ1A,Ｙ1A）（Ｘ1B,Ｙ1B）に置いた指先を、図４（Ａ）で示したような表示画像データ（２５）を縮める方向の任意の点（Ｘ0A,Ｙ0A）（Ｘ0B,Ｙ0B）まで移動させた場合には（ステップＳ１〜Ｓ５）、前記拡大表示処理の場合と同様に、最初の指定点座標（Ｘ1A,Ｙ1A）（Ｘ1B,Ｙ1B）間のｘ軸およびｙ軸方向の差分（Ｘ1B−Ｘ1A）（Ｙ1B−Ｙ1A）と移動後の指定点座標（Ｘ0A,Ｙ0A）（Ｘ0B,Ｙ0B）間のｘ軸およびｙ軸方向の差分（Ｘ0B−Ｘ0A）（Ｙ0B−Ｙ0A）との比率［ｘ軸方向（Ｘ0B−Ｘ0A）／（Ｘ1B−Ｘ1A）倍］［ｙ軸方向（Ｙ0B−Ｙ0A）／（Ｙ1B−Ｙ1A）倍］に応じて表示画像データ（２５）が縮小処理され、２つの指定点の画像を縮める方向への移動［（Ｘ1A,Ｙ1A）（Ｘ1B,Ｙ1B）→（Ｘ0A,Ｙ0A）（Ｘ0B,Ｙ0B）］に伴い表示画像データ（２５）上での各対応する座標（ＸAd,ＹAd)(ＸBd,ＹBd）も移動するように縮小表示される（ステップＳ６）。
【００４０】
この後、表示画面（１１Ａ，１１Ｂ）に対するユーザタッチ操作が解消され、タッチパネル（Ａ）１２Ａ，（Ｂ）１２Ｂから指先が離れたと判断されると（ステップＳ７）、前記一連の拡大／縮小表示処理は終了される（ステップＳ７→ｅｎｄ）。
【００４１】
したがって、前記構成の折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第１実施形態の拡大／縮小表示機能によれば、各表示画面（Ａ）１１Ａ，（Ｂ）１１Ｂ上での各々のタッチ指定点（Ｘ0A,Ｙ0A）（Ｘ0B,Ｙ0B）の移動が検知されると、その移動元の指定点座標間のｘ軸およびｙ軸方向差分と移動先の指定点座標間のｘ軸およびｙ軸方向差分との比率に応じて表示画像データ（２５）が拡大または縮小処理され、２つの指定点の画像を広げる方向への移動か縮める方向への移動に伴い表示画像データ（２５）上での各対応する座標（ＸAd,ＹAd)(ＸBd,ＹBd）も移動するように拡大または縮小表示されるので、従来の表示装置における拡大・縮小の操作とは全く異なり、拡大または縮小したい表示画像上の任意の２点を直接指定して当該画像を引き伸ばす方向や縮める方向に移動させるという感覚的に分かり易い簡単な操作で、その操作実体に１対１で対応した拡大または縮小表示を行わせることができる。
【００４２】
なお、この第１実施形態の拡大／縮小表示機能では、上下の各表示画面（Ａ）１１Ａ，（Ｂ）１１Ｂ上に置いた各指定点を、その指定点間を広げる方向に移動させたか縮める方向に移動させたかで、この指定点間の移動位置に即した表示画像の拡大または縮小表示がなされる構成としたが、次の第２実施形態の拡大／縮小表示機能にて説明するように、拡大／縮小の中心を表示されている画像の中心位置に設定し、またその拡大／縮小倍率を予め定めた大小２段の倍率に設定すると共に、上下の各表示画面（Ａ）１１Ａ，（Ｂ）１１Ｂ上でのタッチ指定点の移動操作方向をＸ方向に規定し、各指定点のｘ軸座標の交差時前後で前記２段の設定倍率を切り替える構成としてもよい。
【００４３】
（第２実施形態）
図６は、前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第２実施形態の拡大／縮小表示機能でのユーザ操作形態を示す図である。
【００４４】
この第２実施形態の拡大／縮小表示機能では、２つの表示画面（１１Ａ，１１Ｂ）を一画面として表示させている表示画像を、各表示画面（１１Ａ，１１Ｂ）上に置いた例えば両手の指先をｘ軸座標に沿い互いに離れる方向に移動操作することで拡大表示し、近付く方向に移動操作することで縮小表示する。
【００４５】
そしてこの上下表示画面（１１Ａ，１１Ｂ）上での各指先の移動操作に際し、一方の指先が示す指定点座標（Ｘ1A,Ｙ1A）と他方の指先が示す指定点座標（Ｘ1B,Ｙ1B）との各ｘ軸座標（Ｘ1A）（Ｘ1B）が交差した場合に、交差前における拡大／縮小設定倍率と交差後における拡大／縮小設定倍率とを切り替える。
【００４６】
図７は、前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第２実施形態の拡大／縮小表示処理を示すフローチャートである。
【００４７】
前記図６で示したように、上下２つの表示装置（Ａ）１１Ａ，（Ｂ）１１Ｂにおける各タッチパネル（Ａ）１２Ａ，（Ｂ）１２Ｂのそれぞれにおいて、例えばユーザの右手と左手の各指先によるタッチ操作が検知されると（ステップＡ１）、当該各表示画面（１１Ａ，１１Ｂ）上で指定された２点の座標（Ｘ0A,Ｙ0A）（Ｘ0B,Ｙ0B）が各タッチパネル（Ａ）１２Ａ，（Ｂ）１２Ｂからのタッチ位置検知信号に基づき算出される（ステップＡ２）。
【００４８】
ここで、前記２つの表示画面（１１Ａ，１１Ｂ）上の最初の各指定点（Ｘ0A,Ｙ0A）（Ｘ0B,Ｙ0B）にある指先をｘ軸方向に沿って、例えば図６の矢印ａ，ｂで示すように、先ずは表示画像（２５）を縮める方向に移動させた際に、当該タッチ指定点の移動が検知されると（ステップＡ３）、その移動先（移動中）の指定点座標（Ｘ1A,Ｙ1A）（Ｘ1B,Ｙ1B）が算出され（ステップＡ４）、各ｘ軸座標（Ｘ1A）（Ｘ1B）が交差（クロス）したか否か判断される（ステップＡ５）。
【００４９】
そして、各表示画面（１１Ａ，１１Ｂ）上で移動中にある指定点のｘ軸座標（Ｘ1A）（Ｘ1B）が交差しないと判断された場合（ステップＡ５（Ｎ））、つまり現時点において、各指定点座標（Ｘ1A,Ｙ1A）（Ｘ1B,Ｙ1B）が交差位置Ｋよりも手前側に位置し、最初から続けて表示画像（２５）を縮める方向に移動中であると判断された場合には、前回座標算出時の各指定点座標（Ｘ0A,Ｙ0A）（Ｘ0B,Ｙ0B）間のＸ方向差分（Ｘ0A−Ｘ0B）よりも今回座標算出時（移動後）の各指定点座標（Ｘ1A,Ｙ1A）（Ｘ1B,Ｙ1B）間のＸ方向差分（Ｘ1A−Ｘ1B）の方が小さいと判断される（ステップＡ６（Ｎ））。
【００５０】
すると、表示処理開始時にデフォルトで設定されている設定倍率（小）２２ｇに従って表示中の画像データ（２５）が前記各指定点（Ｘ1A,Ｙ1A）（Ｘ1B,Ｙ1B）の移動に伴い縮小処理されて表示される（ステップＡ７）。
【００５１】
この後、前記各指定点座標（Ｘ1A,Ｙ1A）（Ｘ1B,Ｙ1B）が交差位置Ｋに到達することで、当該各指定点のｘ軸座標（Ｘ1A）（Ｘ1B）が交差したと判断された場合には（ステップＡ５（Ｙ））、現在の変更倍率フラグ２２ｆが“０”にセットされているか否か判断される（ステップＡ９）。
【００５２】
ここで、現在の変更倍率フラグ２２ｆが、この表示処理の開始に伴い“０”にデフォルトセットされていると判断された場合には（ステップＡ９（Ｙ））、当該変更倍率フラグ２２ｆが“０”→“１”に変更セットされ（ステップＡ１０）、現在の設定倍率（小）２２ｇが設定倍率（大）２２ｇに変更される（ステップＡ１１）。
【００５３】
そして、前記交差位置Ｋに到達した各指定点（Ｘ1A,Ｙ1A）（Ｘ1B,Ｙ1B）の移動が矢印ａ，ｂに示すようにさらに継続されることで、表示画像（２５）を広げる方向への移動となり、前回座標算出時の各指定点座標（Ｘ1A-1,Ｙ1A-1）（Ｘ1B-1,Ｙ1B-1）間のＸ方向差分（Ｘ1A-1−Ｘ1B-1）よりも今回座標算出時（移動後）の各指定点座標（Ｘ1A,Ｙ1A）（Ｘ1B,Ｙ1B）間のＸ方向差分（Ｘ1A−Ｘ1B）の方が大きいと判断されると（ステップＡ３〜Ａ６（Ｙ））、前記変更設定された設定倍率（大）２２ｇに従って表示中の画像データ（２５）が各指定点（Ｘ1A,Ｙ1A）（Ｘ1B,Ｙ1B）の移動に伴い拡大処理されて表示される（ステップＡ８）。
【００５４】
この後例えば、各指先をその表示画面（１１Ａ，１１Ｂ）上に置いたまま、当該各指定点（Ｘ1A,Ｙ1A）（Ｘ1B,Ｙ1B）の移動操作を表示画像（２５）を縮める方向へと反転させた場合には、前回座標算出時の各指定点座標（Ｘ1A-1,Ｙ1A-1）（Ｘ1B-1,Ｙ1B-1）間のＸ方向差分（Ｘ1A-1−Ｘ1B-1）よりも今回座標算出時（移動後）の各指定点座標（Ｘ1A,Ｙ1A）（Ｘ1B,Ｙ1B）間のＸ方向差分（Ｘ1A−Ｘ1B）の方が小さいと判断されるので（ステップＡ３〜Ａ６（Ｎ））、前記変更設定された設定倍率（大）２２ｇに従って表示中の画像データ（２５）が各指定点（Ｘ1A,Ｙ1A）（Ｘ1B,Ｙ1B）の移動に伴い縮小処理されて表示される（ステップＡ７）。
【００５５】
そして再び、前記各指定点座標（Ｘ1A,Ｙ1A）（Ｘ1B,Ｙ1B）が交差位置Ｋに到達することで、当該各指定点のｘ軸座標（Ｘ1A）（Ｘ1B）が交差したと判断された場合には（ステップＡ５（Ｙ））、現在の変更倍率フラグ２２ｆが“１”に変更セットされていると判断されるので（ステップＡ９（Ｎ））、当該変更倍率フラグ２２ｆが“１”→“０”にリセットされ（ステップＡ１３）、変更されていた現在の設定倍率（大）２２ｇが設定倍率（小）２２ｇに再変更される（ステップＡ１４）。
【００５６】
そしてさらに、前記交差位置Ｋに到達した各指定点（Ｘ1A,Ｙ1A）（Ｘ1B,Ｙ1B）の移動が矢印ａ，ｂとは逆の方向に継続されることで、表示画像（２５）を広げる方向への移動となり、前回座標算出時の各指定点座標（Ｘ1A-1,Ｙ1A-1）（Ｘ1B-1,Ｙ1B-1）間のＸ方向差分（Ｘ1A-1−Ｘ1B-1）よりも今回座標算出時（移動後）の各指定点座標（Ｘ1A,Ｙ1A）（Ｘ1B,Ｙ1B）間のＸ方向差分（Ｘ1A−Ｘ1B）の方が大きいと判断されると（ステップＡ３〜Ａ６（Ｙ））、前記再変更されて設定された設定倍率（小）２２ｇに従って表示中の画像データ（２５）が各指定点（Ｘ1A,Ｙ1A）（Ｘ1B,Ｙ1B）の移動に伴い拡大処理されて表示される（ステップＡ８）。
【００５７】
この後、表示画面（１１Ａ，１１Ｂ）に対するユーザタッチ操作が解消され、タッチパネル（Ａ）１２Ａ，（Ｂ）１２Ｂから指先が離れたと判断されると（ステップＡ１２）、前記一連の拡大／縮小表示処理は終了される（ステップＡ１２→ｅｎｄ）。
【００５８】
したがって、前記構成の折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第２実施形態の拡大／縮小表示機能によれば、各表示画面（Ａ）１１Ａ，（Ｂ）１１Ｂ上での各々のタッチ指定点（Ｘ0A,Ｙ0A）（Ｘ0B,Ｙ0B）の移動が検知されると、その移動元の指定点座標間のｘ軸方向差分と移動先の指定点座標間のｘ軸方向差分との大小が比較判断され、移動元の各指定点間ｘ方向差分よりも移動先の各指定点間のｘ方向差分の方が小さいと判断された場合には設定倍率フラグ２２ｆに応じて設定された設定倍率（小または大）２２ｇに従って該各指定点の移動に伴い表示画像データ（２５）が縮小処理され、大きいと判断された場合には拡大処理されるので、従来の表示装置における拡大・縮小の操作とは全く異なり、上表示画面（１１Ａ）上と下表示画面（１１Ｂ）上との任意の２点を直接指定してその表示画像を広げる方向や縮める方向に移動させるという感覚的に分かり易い簡単な操作で拡大または縮小表示を行わせることができる。
【００５９】
しかも、前記各指定点の移動に伴うｘ軸座標（Ｘ1A）（Ｘ1B）が交差（クロス）した際には、設定倍率フラグ２２ｆが“０”→“１”に変更されるのに応じて設定倍率２２ｇが“小”→“大”に変更されて拡大または縮小処理され、再交差（クロス）した際にはまた設定倍率フラグ２２ｆが“１”→“０”に再変更されるのに応じて設定倍率２２ｇが“大”→“小”に再変更されて拡大または縮小処理されるので、具体的には、現在の拡大／縮小設定倍率を“小”→“大”または“大”→“小”に変えて表示画像（２５）の拡大／縮小表示をしたいときには、各指定点をＸ軸方向に交差移動させるだけでこれを簡単に行うことができる。
【００６０】
なお、この第２実施形態の拡大／縮小表示機能では、上下に展開して隣接させた２つの表示画面（１１Ａ，１１Ｂ）を対象として、当該各表示画面（１１Ａ，１１Ｂ）上での指定点をｘ軸方向に互いに広げる方向に移動させたり縮める方向に移動させたりして、その表示画像データ（２５）の拡大／縮小表示を行う構成としたが、次の第３実施形態の拡大／縮小表示機能にて説明するように、各表示画面（１１Ａ，１１Ｂ）上での指定点をｙ軸方向に互いに広げる方向に移動させたり縮める方向に移動させたりして、その表示画像データ（２５）の拡大／縮小表示制御を行うものとし、例えば縮める方向に移動中の指定点が各表示画面（１１Ａ，１１Ｂ）間の境界に入ってしまったり、さらには当該境界を超えて一方の表示画面（１１Ａまたは１１Ｂ）上に２つの指定点が入ってしまったりした場合に、適切に対応制御を行って不具合を発生させない構成としてもよい。
【００６１】
（第３実施形態）
図８は、前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第３実施形態の拡大／縮小表示機能でのユーザ操作形態を示す図である。
【００６２】
この第３実施形態の拡大／縮小表示機能では、２つの表示画面（１１Ａ，１１Ｂ）を一画面として表示させている表示画像を、各表示画面（１１Ａ，１１Ｂ）上に置いた例えば両手の指先をｙ軸座標に沿い互いに離れる方向に移動操作することで拡大表示し、近付く方向に移動操作することで縮小表示する。
【００６３】
そしてこの上下表示画面（１１Ａ，１１Ｂ）上での各指先のｙ軸方向に沿った移動操作に際し、例えば図８（Ａ）に示すように、縮める（近付く）方向に移動中の指定点が各表示画面（１１Ａ，１１Ｂ）間の境界に入ってしまった場合には、各指定点の一定時間内の復帰を待って、図８（Ｂ）に示すように該各指定点の移動軌跡がその表示画面の境界を挟んで交差したと判断し、再び同様の拡大／縮小表示に戻る。また、一方の表示画面（１１Ａまたは１１Ｂ）上にある指定点が該各表示画面（１１Ａ，１１Ｂ）間の境界を超えることで他方の表示画面（１１Ｂまたは１１Ａ）上に２つの指定点が入ってしまった場合には、各表示画面（１１Ａ，１１Ｂ）に対する各々の指定点の一定時間内の復帰を待って再び同様の拡大／縮小表示に戻る。
【００６４】
図９は、前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第３実施形態の拡大／縮小表示処理を示すフローチャートである。
【００６５】
前記図８（Ａ）で示したように、上下２つの表示装置（Ａ）１１Ａ，（Ｂ）１１Ｂにおける各タッチパネル（Ａ）１２Ａ，（Ｂ）１２Ｂのそれぞれにおいて、例えばユーザの右手と左手の各指先によるタッチ操作が検知されると（ステップＢ１）、当該各表示画面（１１Ａ，１１Ｂ）上で指定された２点の座標（Ｘ0A,Ｙ0A）（Ｘ0B,Ｙ0B）が各タッチパネル（Ａ）１２Ａ，（Ｂ）１２Ｂからのタッチ位置検知信号に基づき算出される（ステップＢ２）。
【００６６】
ここで、前記２つの表示画面（１１Ａ，１１Ｂ）上の最初の各指定点（Ｘ0A,Ｙ0A）（Ｘ0B,Ｙ0B）にある指先をｙ軸方向に沿って、例えば図８（Ａ）の矢印ａ，ｂで示すように、先ずは表示画像（２５）を縮める方向に移動させた際に、当該タッチ指定点の移動が検知されると（ステップＢ３）、その移動先（移動中）の指定点座標（Ｘ1A,Ｙ1A）（Ｘ1B,Ｙ1B）が算出される（ステップＢ４）。
【００６７】
そして、前回座標算出時の各指定点座標（Ｘ0A,Ｙ0A）（Ｘ0B,Ｙ0B）間のｙ方向差分（Ｙ0A−Ｙ0B）よりも今回座標算出時（移動後）の各指定点座標（Ｘ1A,Ｙ1A）（Ｘ1B,Ｙ1B）間のＹ方向差分（Ｙ1A−Ｙ1B）の方が小さいと判断された場合には、予め設定されている拡大／縮小倍率に従って表示中の画像データ（２５）が前記各指定点（Ｘ1A,Ｙ1A）（Ｘ1B,Ｙ1B）の移動に伴い縮小処理されて表示される（ステップＢ５）。
【００６８】
一方これとは逆に、各指定点（Ｘ0A,Ｙ0A）（Ｘ0B,Ｙ0B）にある指先をｙ軸方向に沿って広げる方向に移動させた際に、前回座標算出時の各指定点座標（Ｘ0A,Ｙ0A）（Ｘ0B,Ｙ0B）間のｙ方向差分（Ｙ0A−Ｙ0B）よりも今回座標算出時（移動後）の各指定点座標（Ｘ1A,Ｙ1A）（Ｘ1B,Ｙ1B）間のＹ方向差分（Ｙ1A−Ｙ1B）の方が大きいと判断された場合には、予め設定されている拡大／縮小倍率に従って表示中の画像データ（２５）が前記各指定点（Ｘ1A,Ｙ1A）（Ｘ1B,Ｙ1B）の移動に伴い拡大処理されて表示される（ステップＢ３〜Ｂ５）。
【００６９】
そして、例えば前記図８（Ａ）で示したように、各指定点（Ｘ0A,Ｙ0A）（Ｘ0B,Ｙ0B）にある指先をｙ軸方向に沿って縮める方向に移動させながら縮小表示をさせている状態で（ステップＢ３〜Ｂ６→Ｂ３）、一方の指、この場合には上表示画面（１１Ａ）側で移動されていた指が下表示画面（１１Ｂ）との境界部分に入り、当該一方の指による指定点（Ｘ1A,Ｙ1A）のタッチ検出が無くなったと判断された場合には（ステップＢ６（Ｙ））、タイマカウンタ２２ｊにおける一定時間のタイマ動作が開始される（ステップＢ７）。
【００７０】
そして、タイマ動作による一定時間の経過（タイマオーバ）が判断されないうちに（ステップＢ８（Ｎ））、もう一方の指、つまりこの場合には下表示画面（１１Ｂ）側で移動されていた指も同表示画面（１１Ａ，１１Ｂ）間の境界部分に入り、両方の指による指定点（Ｘ1A,Ｙ1A）（Ｘ1B,Ｙ1B）のタッチ検出が無くなったと判断された場合に（ステップＢ９（Ｙ））、さらに同一定時間の経過（タイマオーバ）が判断されないうちに（ステップＢ１１（Ｎ））、各表示画面（１１Ａ，１１Ｂ）の両方におけるタッチ検出が復活したと判断された場合には（ステップＢ１２（Ｙ））、例えば図８（Ｂ）の矢印ｃ，ｄで示すように、各指定点の移動軌跡がその表示画面（１１Ａ，１１Ｂ）の境界部分を挟んで交差して移動されたと判断し、当該タッチ検出復活時の新たな指定点座標（Ｘ1A,Ｙ1A）（Ｘ1B,Ｙ1B）が算出される（ステップＢ１３）。
【００７１】
すると、この新たに算出された各指定点座標（Ｘ1A,Ｙ1A）（Ｘ1B,Ｙ1B）が実在する座標位置であるか確認されることで正常なタッチ検出がなされているかが判断され（ステップＢ１４（Ｙ））、この後再び、各指定点座標（Ｘ1A,Ｙ1A）（Ｘ1B,Ｙ1B）の移動操作が判断されることで、前記同様に、該指定点座標（Ｘ1A,Ｙ1A）（Ｘ1B,Ｙ1B）の移動に応じた表示画像データ（２５）の拡大／縮小表示が実施される（ステップＢ３〜Ｂ５）。
【００７２】
そして、前記ステップＢ６，Ｂ７において、例えば一方の指による指定点（Ｘ1A,Ｙ1A）のタッチ検出が無くなったと判断され、一定時間のタイマ動作が開始された後に、そのまま一定時間が経過（タイマオーバ）したと判断されるか（ステップＢ８（Ｙ））、あるいは更にタッチ位置検出される指定点座標が急激に移動したと判断されて前記タイマ動作からの一定時間が経過（タイマオーバ）したと判断されるか（ステップＢ９→Ｂ１０→Ｂ１１（Ｙ））、あるいは更にもう一方の指による指定点のタッチ検出も無くなり両方の指定点（Ｘ1A,Ｙ1A）（Ｘ1B,Ｙ1B）のタッチ検出が無いまま前記タイマ動作からの一定時間が経過（タイマオーバ）したと判断された場合には（ステップＢ９→Ｂ１１（Ｙ））、何れか一方の表示画面（１１Ａ，１１Ｂ）上に両方の指が置かれた状態であったり、当該拡大／縮小のためのユーザ操作が終わったりしたものと判断し、前記一連の拡大／縮小表示処理は終了される（ステップＢ８（Ｂ１１）→ｅｎｄ）。
【００７３】
したがって、前記構成の折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第３実施形態の拡大／縮小表示機能によれば、各表示画面（Ａ）１１Ａ，（Ｂ）１１Ｂ上での各々のタッチ指定点（Ｘ0A,Ｙ0A）（Ｘ0B,Ｙ0B）のｙ軸方向への移動が検知されると、移動前後の指定点座標間が広がる方向にあるか縮む方向にあるかによってその移動前後の差分および所定の設定倍率に従い表示画像データ（２５）が拡大／縮小処理されるので、従来の表示装置における拡大・縮小の操作とは全く異なり、上表示画面（１１Ａ）上と下表示画面（１１Ｂ）上との任意の２点を直接指定してその表示画像を広げる方向や縮める方向に移動させるという感覚的に分かり易い簡単な操作で拡大または縮小表示を行わせることができる。
【００７４】
そして前記各指定点（Ｘ0A,Ｙ0A）（Ｘ0B,Ｙ0B）のｙ軸方向に沿った移動操作に伴う表示画像の拡大／縮小表示処理中において、当該指定点（Ｘ0A,Ｙ0A）（Ｘ0B,Ｙ0B）を移動操作する指が各表示画面（１１Ａ，１１Ｂ）間の境界部分を通過する際に、一方あるいは両方の指定点のタッチ検出が一時無くなったと判断された場合でも、タイマ動作による一定時間の経過前までに再び当該両指定点のタッチ検出が有ったと判断されれば、新たな２点の指定点座標の移動に応じた表示画像の拡大／縮小処理が再開されるので、このような拡大／縮小表示処理中における各表示画面（１１Ａ，１１Ｂ）間の指定点通過に伴う処理の途切れを最小限に抑えることができる。
【００７５】
なお、前記各実施形態の拡大／縮小表示機能では、各表示画面（（Ａ）１１Ａ，（Ｂ）１１Ｂ）上に指を置くことにより各々のタッチパネル（Ａ）１２Ａ，（Ａ）１１Ｂにより検知され算出される各指定点座標（Ｘ0A,Ｙ0A）（Ｘ0B,Ｙ0B）を、その指定点間を広げる方向に移動操作するかまたは縮める方向に移動操作するかによって表示画像を拡大または縮小表示する構成としたが、次の第４実施形態の拡大／縮小表示機能にて説明するように、前記２つの表示画面（（Ａ）１１Ａ，（Ｂ）１１Ｂ）を一枚の表示画面として表示させた表示画像について、拡大／縮小の中心位置を任意の一方の表示画面（画像）上の１点をタッチして指定した後に、もう一方の表示画面上で予め定められた方向へのタッチ点の移動操作を行うことで、当該移動操作に応じて前記一方の表示画面上で指定した画像位置を中心に拡大または縮小表示を行う構成としてもよい。
【００７６】
（第４実施形態）
図１０は、前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第４実施形態の拡大／縮小表示機能でのユーザ操作形態を示す図である。
【００７７】
この第４実施形態の拡大／縮小表示機能では、２つの表示画面（１１Ａ，１１Ｂ）のうち、最初にタッチ検出がされた一方の表示画面上の指定点座標（Ｘａ，Ｙａ）を表示されている画像に対する拡大／縮小の中心位置として設定し、もう一方の表示画面上でのタッチ検出に伴う指定点座標（Ｘｂ，Ｙｂ）が上（−ｙ軸方向）または右（＋ｘ軸方向）の方向に移動した場合に所定の設定倍率に応じて拡大表示し、下（＋ｙ軸方向）または左（−ｘ軸方向）の方向に移動した場合に所定の設定倍率に応じて縮小表示する。
【００７８】
図１１は、前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第４実施形態の拡大／縮小表示処理を示すフローチャートである。
【００７９】
例えば図１０（Ａ）に示すように、２つの表示画面（１１Ａ，１１Ｂ）のうち一方の表示画面（１１Ａ）のタッチパネル１２Ａによりユーザ操作に応じたタッチ検出がされると（ステップＣ１（Ｙ））、この最初にタッチ検出された一方の表示画面（１１Ａ）に対する指定点座標（Ｘａ，Ｙａ）が算出される（ステップＣ２）。
【００８０】
この後、他方の表示画面（１１Ｂ）のタッチパネル１２Ｂによってもユーザ操作に応じたタッチ検出がされると（ステップＣ３（Ｙ））、そのタッチ検出された他方の表示画面（１１Ｂ）に対する指定点座標（Ｘｂ，Ｙｂ）が算出され、当該指定点座標（Ｘｂ，Ｙｂ）の移動判断待機状態になる（ステップＣ４／Ｃ６）。
【００８１】
ここで、図１０（Ａ）に示すように、前記他方の表示画面（１１Ｂ）に対する指定点座標（Ｘｂ，Ｙｂ）が上（−ｙ軸方向）または右（＋ｘ軸方向）の方向に移動したと判断されると（ステップＣ４（Ｙ））、その移動距離および所定の設定倍率に従って拡大量が算出され、前記一方の表示画面（１１Ａ）上でのタッチ指定点（Ｘａ，Ｙａ）を中心にして、表示中の画像が拡大処理されて表示される（ステップＣ５）。
【００８２】
一方、前記他方の表示画面（１１Ｂ）に対する指定点座標（Ｘｂ，Ｙｂ）が下（＋ｙ軸方向）または左（−ｘ軸方向）の方向に移動したと判断された場合には（ステップＣ６（Ｙ））、その移動距離および所定の設定倍率に従って縮小量が算出され、前記一方の表示画面（１１Ａ）上でのタッチ指定点（Ｘａ，Ｙａ）を中心にして、表示中の画像が縮小処理されて表示される（ステップＣ７）。
【００８３】
図１０（Ｂ）では、一方の表示画面として最初に下表示画面（１１Ｂ）上でのタッチ指定点（Ｘａ，Ｙａ）の検出があった後に（ステップＣ１→Ｃ２）、他方の上表示画面（１１Ａ）上で指定点座標（Ｘｂ，Ｙｂ）の左下方向への移動判断があった場合（ステップＣ３→Ｃ６（Ｙ））の当該最初のタッチ指定点（Ｘａ，Ｙａ）を中心とする縮小表示動作（ステップＣ７）を示している。
【００８４】
そして、前記上下の表示画面（１１Ａ，１１Ｂ）に対する何れのタッチ操作の検出も無くなったと判断された場合に、前記一連の拡大／縮小表示処理は終了される（ステップＣ８→Ｃ９→ｅｎｄ）。
【００８５】
したがって、前記構成の折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第４実施形態の拡大／縮小表示機能によれば、一方の表示画面（１１Ａ／１１Ｂ）上でのタッチ指定点座標（Ｘａ，Ｙａ）が検出された後に、他方の表示画面（１１Ｂ／１１Ａ）上でのタッチ指定点座標（Ｘｂ，Ｘｂ）の検出と共に当該指定点座標（Ｘｂ，Ｘｂ）の上または右方向への移動が有ると判断された場合には、その移動距離および所定の拡大／縮小倍率に従い前記一方の表示画面上での指定点座標（Ｘａ，Ｙａ）を中心にして表示中の画像が拡大表示され、また逆に他方の表示画面上での指定点座標（Ｘｂ，Ｘｂ）の下または左方向への移動が有ると判断された場合には、同一方の表示画面上での指定点座標（Ｘａ，Ｙａ）を中心にして表示中の画像が縮小表示されるので、従来の表示装置における拡大・縮小の操作とは全く異なり、拡大／縮小の中心位置を指定した後に、他の表示画面上でのタッチ指定点を予め定められた方向に移動操作するだけで、非常に分かり易く簡単に拡大または縮小表示を行わせることができる。
【００８６】
なお、この第４実施形態の拡大／縮小表示機能では、その拡大／縮小倍率を予め設定された倍率とし、他の表示画面上でのタッチ指定点の移動に伴いその移動距離および所定の設定倍率に従い表示画像の拡大／縮小処理を行う構成としたが、次の第５実施形態の拡大／縮小表示機能にて説明するように、一方の表示画面上での最初のタッチ検出から規定時間内の繰り返しタッチ回数に応じて前記拡大／縮小倍率を可変設定し、この可変設定された倍率（ａ）に従って、他方の表示画面上でのタッチ指定点の移動検出に伴う表示画像の拡大／縮小処理を行う構成としてもよい。
【００８７】
（第５実施形態）
図１２は、前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第５実施形態の拡大／縮小表示処理を示すフローチャートである。
【００８８】
２つの表示画面（１１Ａ，１１Ｂ）それぞれのタッチパネル（Ａ）１２Ａ，（Ｂ）１２Ｂのうち、一方の表示画面上のタッチパネルＡにてタッチ検出（Ｘａ，Ｙａ）がされると（ステップＤ１（Ｙ））、規定時間間隔内でのタッチ／オフタッチの繰り返し回数がカウントされる（ステップＤ２）。
【００８９】
そして、前記一方の表示画面上のタッチパネルＡにおいて、規定時間以上継続したタッチ操作が検出されると（ステップＤ３（Ｙ））、前記ステップＤ２においてカウントされたタッチ操作の繰り返し回数（タッチＡカウント数２２ｍ）に応じて表示画像拡大／縮小の倍率（可変設定倍率（ａ）２２ｋ）が設定される（ステップＤ４）。
【００９０】
この後、他方の表示画面上のタッチパネルＢおいて、前記第４実施形態での説明と同様に、右上または左下方向へのタッチ指定点の移動操作が検出判断されると（ステップＤ５（Ｙ））、その移動距離および前記一方の表示画面上でのタッチ操作の繰り返し回数に応じて設定された可変設定倍率（ａ）２２ｋに従って、表示中の画像が例えば前記一方の表示画面上で最初のタッチ指定点座標（Ｘａ，Ｙａ）を中心にして拡大または縮小されて表示される（ステップＤ６）。
【００９１】
そして、前記上下の表示画面（１１Ａ，１１Ｂ）に対する何れのタッチ操作の検出も無くなったと判断されると、前記一連の拡大／縮小表示処理は終了される（ステップＤ７→ｅｎｄ）。
【００９２】
したがって、前記構成の折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第５実施形態の拡大／縮小表示機能によれば、前記第４実施形態での拡大／縮小表示機能と同様に、一方の表示画面上での最初のタッチ指定点を中心にした他方の表示画面上でのタッチ指定点の移動操作に伴う表示画像の拡大／縮小表示処理が行えるだけでなく、最初のタッチ指定点でのタッチ繰り返し回数に応じて容易に拡大／縮小倍率を可変設定できるようになる。
【００９３】
なお、この第５実施形態の拡大／縮小表示機能では、一方の表示画面上での最初のタッチ検出から規定時間内の繰り返しタッチ回数に応じて表示中画像に対する拡大／縮小倍率を可変設定する構成としたが、次の第６実施形態の拡大／縮小表示機能にて説明するように、一方の表示画面上での最初のタッチ検出後、他の表示画面上でのタッチ指定点の移動検出に伴いそのタッチ強さ（圧力）を測定し、このタッチ強さ（圧力）に応じて前記拡大／縮小倍率を可変設定することで、この可変設定された倍率（ａ）に従って、当該タッチ指定点の移動検出に伴う表示画像の拡大／縮小処理を行う構成としてもよい。
【００９４】
（第６実施形態）
この第６実施形態の拡大／縮小表示機能を有する折り畳み型携帯情報端末１０では、２つの表示装置（Ａ）１１Ａ，（Ｂ）１１Ｂそれぞれのタッチパネル（Ａ）１２Ａ，（Ｂ）１２Ｂが圧力センサの機能も備えている。
【００９５】
図１３は、前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第６実施形態の拡大／縮小表示処理を示すフローチャートである。
【００９６】
２つの表示画面（１１Ａ，１１Ｂ）それぞれのタッチパネル（Ａ）１２Ａ，（Ｂ）１２Ｂのうち、一方の表示画面上のタッチパネルＡにてタッチ検出（Ｘａ，Ｙａ）がされ（ステップＥ１（Ｙ））、この後、他方の表示画面上のタッチパネルＢでもタッチ検出（Ｘｂ，Ｙｂ）がされると（ステップＥ２（Ｙ））、当該他方の表示画面上でのタッチ検出に伴うタッチ強さ（圧力）２２ｎが測定され（ステップＥ３）、この測定されたタッチ強さ（圧力）２２ｎに応じた拡大／縮小倍率（ａ）２２ｋが算出されて設定される（ステップＥ４）。
【００９７】
すると、前記他方の表示画面上でのタッチ指定点座標（Ｘｂ．Ｙｂ）について、前記第４実施形態での説明と同様に、右上または左下方向への移動操作が検出判断されるのに伴い、その移動距離および当該タッチ指定点のタッチ強さ（圧力）２２ｎに応じて設定された可変設定倍率（ａ）２２ｋに従って、表示中の画像が例えば前記一方の表示画面上で最初のタッチ指定点座標（Ｘａ，Ｙａ）を中心にして拡大または縮小されて表示される（ステップＥ５）。
【００９８】
そして、前記上下の表示画面（１１Ａ，１１Ｂ）に対する何れのタッチ操作の検出も無くなったと判断されると、前記一連の拡大／縮小表示処理は終了される（ステップＥ６→ｅｎｄ）。
【００９９】
したがって、前記構成の折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第６実施形態の拡大／縮小表示機能によれば、前記第４実施形態での拡大／縮小表示機能と同様に、一方の表示画面上での最初のタッチ指定点を中心にした他方の表示画面上でのタッチ指定点の移動操作に伴う表示画像の拡大／縮小表示処理が行えるだけでなく、当該他方の表示画面上で移動操作されるタッチ指定点のタッチ強さ（圧力）２２ｎに応じて容易に拡大／縮小倍率（ａ）２２ｋを可変設定できるようになる。
【０１００】
なおさらに、次の第７実施形態の拡大／縮小表示機能にて説明するように、他方の表示画面上でのタッチ指定点座標（Ｘｂ，Ｙｂ）の移動操作に伴うｘ軸方向（水平方向）を基準とする移動方向のなす角度θに応じて、前記拡大／縮小倍率（ａ）２２ｋを可変設定することで、この可変設定された倍率（ａ）２２ｋに従って、当該タッチ指定点の移動検出に伴う表示画像の拡大／縮小処理を行う構成としてもよい。
【０１０１】
（第７実施形態）
図１４は、前記折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第７実施形態の拡大／縮小表示機能でのユーザ操作形態を示す図である。
【０１０２】
この第７実施形態の拡大／縮小表示機能では、先ず前記第４実施形態と同様に、最初にタッチ検出された一方の表示画面（１１Ａ）上でのタッチ指定点（Ｘａ，Ｙａ）が、表示中の画像（２５）に対する拡大／縮小の中心位置として設定されると共に、その後に他方の表示画面（１１Ｂ）上でタッチ検出されたタッチ指定点（Ｘｂ，Ｙｂ）が移動操作されると、その移動方向が右上方向である場合には拡大表示処理され、左下方向である場合には縮小表示される。
【０１０３】
この際、本第７実施形態の場合には、他方の表示画面（１１Ｂ）におけるタッチ指定点（Ｘｂ，Ｙｂ）の移動操作に伴うｘ軸方向とのなす角度θの大小に応じて拡大／縮小倍率（ａ）２２ｋが可変設定され、当該タッチ指定点（Ｘｂ，Ｙｂ）の移動距離とその移動方向のなす角度θに応じた可変設定倍率（ａ）２２ｋに従って、前記一方の表示画面（１１Ａ）上でのタッチ指定点（Ｘａ，Ｙａ）を中心とし表示中の画像（２５）が拡大または縮小表示される。
【０１０４】
したがって、前記構成の折り畳み型携帯情報端末１０における２つの表示装置（Ａ）１１Ａ，（Ｂ）１１Ｂおよびそのタッチパネル（Ａ）１２Ａ，（Ｂ）１２Ｂを使用した第７実施形態の拡大／縮小表示機能によれば、前記第４実施形態での拡大／縮小表示機能と同様に、一方の表示画面上での最初のタッチ指定点を中心にした他方の表示画面上でのタッチ指定点の移動操作に伴う表示画像の拡大／縮小表示処理が行えるだけでなく、当該他方の表示画面上で移動操作されるタッチ指定点のｘ軸方向に対する移動方向のなす角度θに応じて容易に拡大／縮小倍率（ａ）２２ｋを可変設定しながらその拡大／縮小表示処理を行うことができる。
【０１０５】
なお、前記各実施形態の拡大／縮小表示機能では、長方形の表示画面を有する２つの表示装置（Ａ）１１Ａ，（Ｂ）１１Ｂを横長方向にして上下２段に展開しこれを一画面として使用する場合について説明したが、図１５に示すように、これを縦長方向に左右に展開して使用する場合でも、前記各実施形態にて説明した拡大／縮小表示機能でのユーザタッチ操作に伴う拡大／縮小表示処理を、短辺となる横方向をｘ軸、長辺となる縦方向をｙ軸として処理することで、同各実施形態と同様の拡大／縮小表示処理を行わせ、それと同様に作用・効果を得ることができる。
【０１０６】
図１５は、前記折り畳み型携帯情報端末１０の縦長にした展開状態における外観構成を示す正面図である。
【０１０７】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１０８】
１０  …折り畳み型携帯情報端末
１１Ａ…表示装置（Ａ）
１１Ｂ…表示装置（Ｂ）
１２Ａ…タッチパネル（Ａ）
１２Ｂ…タッチパネル（Ｂ）
２１  …ＣＰＵ
２２  …主記憶装置
２２ａ…パネルＡ前回座標（Ｘ0A,Ｙ0A）
２２ｂ…パネルＡ今回座標（Ｘ1A,Ｙ1A）
２２ｃ…パネルＢ前回座標（Ｘ0B,Ｙ0B）
２２ｄ…パネルＢ今回座標（Ｘ1B,Ｙ1B）
２２ｅ…表示画像データ内座標（ＸAd,ＹAd）（ＸBd,ＹBd）
２２ｆ…設定倍率フラグ（“０”＝小／“１”＝大）
２２ｇ…設定倍率値（小／大）
２２ｈ…Ｘ軸方向での前回差分（Ｘ0A−Ｘ0B）と今回差分（Ｘ1A−Ｘ1B）
２２ｉ…Ｙ軸方向での前回差分（Ｙ0A−Ｙ0B）と今回差分（Ｙ1A−Ｙ1B）
２２ｊ…タイムカウントデータ
２２ｋ…可変設定倍率値（ａ）
２２ｍ…タッチ（初期タッチ）カウント数
２２ｎ…タッチ（後タッチ）圧力値
２３  …外部記憶装置
２４  …入力装置
２５  …表示用メモリ
【図１】
2012216223.tif 000003
【図２】
2012216223.tif 000004
【図３】
2012216223.tif 000005
【図４】
2012216223.tif 000006
【図５】
2012216223.tif 000007
【図６】
2012216223.tif 000008
【図７】
2012216223.tif 000009
【図８】
2012216223.tif 000010
【図９】
2012216223.tif 000011
【図１０】
2012216223.tif 000012
【図１１】
2012216223.tif 000013
【図１２】
2012216223.tif 000014
【図１３】
2012216223.tif 000015
【図１４】
2012216223.tif 000016
【図１５】
2012216223.tif 000017